(57)【特許請求の範囲】
【請求項１】
バッグ本体に、一対のＵ字状ハンドルと肩当てを有するショルダーベルトを設けた釣り用バッグに於て、
上記肩当てに、上記Ｕ字状ハンドルが挿通可能なスリットを設けると共に、当該スリットに沿って重合部をスリットの全長に亘って設けたことを特徴とする釣り用バッグ。
【請求項２】
バッグ本体に一対のＵ字状ハンドルと肩当てを有するショルダーベルトを設けた釣り用バッグに於て、
上記肩当てを、一対の肩当て部材を重ね合わせて形成し、重なり合う両肩当て部材間に、上記Ｕ字状ハンドルを挿通可能としたことを特徴とする釣り用バッグ。
【発明の詳細な説明】
【技術分野】
【０００１】
本発明は、ショルダーベルトを備えた釣り用バッグに関する。
【背景技術】
【０００２】
従来、釣人は種々の釣具や餌等を釣り用バッグに収納して釣場に携帯し、また、釣った魚を釣り用バッグに収納して家路についている。
このため、この種の釣り用バッグには、手で持ち運ぶための一対のＵ字状ハンドルや肩に掛けて持ち運ぶためのショルダーベルトが取り付けられており、このショルダーベルトには、肩への食い込みを緩和するための肩当て（肩当てパッド）が、ショルダーベルトの長手方向に移動可能に取り付けられている。
【０００３】
ところで、従来、ショルダーベルトは、釣り用バッグをハンドルで持ち運ぶ際に揺れ動いて邪魔になり、釣り用バッグを地面に置いて下方に垂らすと、長手方向の略中央部が地面に触れるような長さを有している。このため、釣り用バッグを濡れた釣場や船のデッキ等に置くと、地面に触れたショルダーベルトや肩当てが濡れたり汚れたりしてしまう不具合があり、この状態でショルダーベルトを肩に掛けると、ウェアが濡れたりしてしまう欠点があった。
【０００４】
そこで、斯かる実情に鑑み特許文献１には、図７に示すようにショルダーベルト１に移動可能に取り付く肩当て３の裏面側とバッグ本体５の一側面７に、雄型面ファスナー（図示せず）と雌型面ファスナー９を取り付けた釣り用バッグ１１が開示されている。
而して、斯かる釣り用バッグ１１によれば、図示するように雄型面ファスナーと雌型面ファスナー９を接合することで、ショルダーベルト１や肩当て３が地面に触れることがなくなり、釣り用バッグ１１を濡れた釣場や船のデッキ等に置いても、ショルダーベルト１や肩当て３が汚れたり濡れたりすることがなくなった。
【０００５】
また、特許文献２には、図８に示すようにショルダーベルト１３の肩当て部１５に携行用ハンドル１７が嵌合可能な透孔１９を設けて、携行用ハンドル１７による携行時やショルダーベルト１３の不使用時に、上記透孔１９に携行用ハンドル１７を嵌合させてショルダーベルト１３の位置決め保持を図ったキャディバッグ２１が開示されている。
【特許文献１】特開２００１−２８６２５２号公報
【特許文献２】実開平３−１８８６７号公報
【発明の開示】
【発明が解決しようとする課題】
【０００６】
しかし乍ら、図７の釣り用バッグ１１にあっては、肩当て３の裏面側とバッグ本体５の一側面７に、夫々、別途雄型面ファスナーと雌型面ファスナー９を取り付けなければならず、また、両面ファスナー９は共にゴミや汚れが付き易い欠点があった。
そして、斯様にゴミや汚れが一度付いてしまうと、ゴミ等が取れ難くなって面ファスナー９同士の接合力が弱まり、この状態で使用していると、不用意に雄型面ファスナーと雌型面ファスナー９の接合が外れて、垂れ下がったショルダーベルト１や肩当て３が地面に触れてしまう虞があった。
【０００７】
一方、図８の如くショルダーベルト１３の肩当て部１５に透孔１７を設けた構造にあっては、肩当て部１５を肩に当てた際に透孔１７が開き気味に変形し、而も、常時開口している透孔１７を設けたことで肩当て部１５の広い面積が確保できず、肩当て部１５が肩に食い込み易くなるといった不具合が指摘されていた。
本発明は斯かる実情に鑑み案出されたもので、ショルダーベルトを備えた釣り用バッグに改良を加え、肩当ての機能を維持しつつ、簡単な構造でショルダーベルトや肩当ての垂れ下がりを防止してこれらの汚れや濡れを防止した釣り用バッグを提供することを目的とする。
【課題を解決するための手段】
【０００８】
斯かる目的を達成するため、請求項１に係る発明は、バッグ本体に、一対のＵ字状ハンドルと肩当てを有するショルダーベルトを設けた釣り用バッグに於て、上記肩当てに、上記Ｕ字状ハンドルが挿通可能なスリットを設けると共に、当該スリットに沿って重合部をスリットの全長に亘って設けたことを特徴とする。
また、請求項２に係る発明は、バッグ本体に一対のＵ字状ハンドルと肩当てを有するショルダーベルトを設けた釣り用バッグに於て、上記肩当てを、一対の肩当て部材を重ね合わせて形成し、重なり合う両肩当て部材間に、上記Ｕ字状ハンドルを挿通可能としたことを特徴としている。
【発明の効果】
【０００９】
請求項１に係る発明によれば、Ｕ字状ハンドルを肩当てのスリットに挿通させることで、ショルダーベルトの肩当てが保持され、更に肩当てはスリットに沿って重合部を設けたため、Ｕ字状ハンドルに対し移動が防止されて保持される。
この結果、ショルダーベルトや肩当てが揺れ動くことがなくなり、釣り用バッグが持ち運び易くなる。
【００１０】
また、肩当てを肩に当てた際にスリットが開き難くなり、スリットの全長に亘って設けた重合部によって肩当ての広い面積が確保できるため、肩当てが肩に食い込むことがなく肩当ての機能を良好に維持することができる利点を有する。
同様に請求項２に係る発明によっても、Ｕ字状ハンドルを肩当て部材の間に挿通させることで、ショルダーベルトの肩当てが保持され、更に肩当ては一対の肩当て部材を重ね合わせて形成したため、Ｕ字状ハンドルに対し移動が防止されて保持される。
【００１１】
この結果、ショルダーベルトや肩当てが揺れ動くことがなくなり、釣り用バッグが持ち運び易くなる。
また、肩当てを肩に当てた際に肩当て部材がずれても、重なり合う両肩当て部材によって肩当ての広い面積が確保できるため、肩当てが肩に食い込むことがなく、肩当ての機能を良好に維持できる利点を有する。
【発明を実施するための最良の形態】
【００１２】
以下、本発明の実施形態を図面に基づいて詳細に説明する。
図１乃至図４は請求項１に係る釣り用バッグの一実施形態を示し、図１に於て、２３は表裏にナイロン織布や合成樹脂フィルム等からなる薄い化粧布２５を添着した合成樹脂発泡材（独立気泡発泡材または連続気泡発泡材）で形成した防水性を有するバッグ本体で、バッグ本体２３は底面及び側面を有するボックス状に形成されて内部を収納部とし、上部に収納口が開口している。
【００１３】
そして、収納口の一側（後述する背面側側面３５）に、バッグ本体２３と同一材料で形成された蓋体２７が、合成樹脂シートからなるヒンジ部材（図示せず）を介して連結されており、蓋体２７の周縁部には、当該蓋体２７を収納口に被せた際（蓋体２７による収納口の閉鎖時）に、バッグ本体２３の上部外周を覆うスカート部（側壁）２９が当該外周に沿って延設されている。そして、バッグ本体２３の正面側側面３１とスカート部２９との間に、蓋止めフロントベルト３３が装着されている。
【００１４】
また、バッグ本体２３の正面側側面３１と背面側側面３５の上部外周には、一対のＵ字状ハンドル３７，３９が取り付けられており、図１及び図２に示すように両Ｕ字状ハンドル３７，３９は、手で釣り用バッグ４１を持ち運ぶ際に、面ファスナー４３，４５が縫着されたループ状のベルト４７で中央部分を一つに束ねることができるようになっている。
更に、バッグ本体２３の左右側面４９，５１間に、織布または合成樹脂（成形品），布帛，皮革等からなる一本の薄肉な帯状のショルダーベルト５３が架け渡されており、ショルダーベルト５３の両端部５３ａは、左右側面４９，５１に縫着で固定されている。
【００１５】
而して、本実施形態に於て、ショルダーベルト５３は、釣り用バッグ４１を地面に置いて下方に垂らすと、長手方向の中央部分が地面に触れる長さを有しており、このショルダーベルト５３の中央部分に、ショルダーベルト５３の全長の略１／３の寸法（長さＬ）を有する長手方向に湾曲した板状の肩当て５５が取り付けられている。
そして、本実施形態は、ショルダーベルト５３の長手方向に沿って肩当て５５の中央に、既述したＵ字状ハンドル３７，３９が挿通可能なスリット５７を設けたもので、スリット５７は肩当て５５の表面から裏面に貫通し、肩当て５５の湾曲形状に合わせて長手方向に湾曲するように形成されている。
【００１６】
即ち、図３及び図４に示すように肩当て５５は、所定の肉厚と幅寸法を以って板状に加工したウレタン等の合成樹脂の発泡材からなる芯材５９を、塩化ビニルやエチレン酢酸ビニル等の化粧布６１で被覆した構造からなり、芯材５９の中央はその長手方向に所定幅を以って切り欠かれている。そして、図４に示すようにこの切欠きに沿って内方へ延設された化粧布６１の端部６１ａ，６１ｂが縫着されており、これら内方へ延設されて縫着された化粧布６１の端部６１ａ，６１ｂ同士が重なり合って、Ｕ字状ハンドル３７，３９が挿通可能な前記スリット５７が形成されると共に、縫着された化粧布６１の端部６１ａ，６１ｂ同士が重なり合うことで、スリット５７に沿って重合部６３がスリット５７の全長に亘って設けられている。
【００１７】
そして、肩当て５５の両端側外周にショルダーベルト５３の接続部材６５が縫着されて、当該接続部材６５にショルダーベルト５３が接続されている。
本実施形態はこのように構成されているから、釣り用バッグ４１を肩に掛けて持ち運ぶ際には、従来と同様の方法でショルダーベルト５３を使用すればよい。
而して、上述したように肩当て５５にはスリット５７に沿って重合部６３がスリット５７の全長に亘って設けられているため、肩当て５５を肩に当てた際に釣り用バッグ４１の重みでスリット５７が開き気味に変形しても、化粧布６１の端部６１ａ，６１ｂ同士が重なり合う重合部６３によって肩当て５５の広い面積が確保でき、肩当て５５が肩に食い込むことがない。
【００１８】
一方、釣り用バッグ４１を手で持ち運ぶ際には、既述したベルト４７で両Ｕ字状ハンドル３７，３９の中央部分を一つに束ね、或いは図２に示すようにＵ字状ハンドル３７，３９の一方を肩当て５５のスリット５７に挿通させて、ベルト４７で両Ｕ字状ハンドル３７，３９の中央部分を一つに束ねればよい。
而して、図２に示すようにＵ字状ハンドル３７を肩当て５５のスリット５７に挿通させて、肩当て５５をＵ字状ハンドル３７の付け根まで移動させると、重合部６３により形成されるスリット５７は、端部６１ａ，６１ｂ同士が肩当て５５の表面側と裏面がで重なり合うため、スリット５７は肩当て５５の幅方向に沿って形成され、Ｕ字状ハンドル３７は肩当て５５の幅Ｈ方向に沿って挿通されるため、Ｕ字状ハンドル３７で付勢された重合部６３によって肩当て５５はバッグ本体２３の正面側側面３１に沿って収まり、外方へ大きく突出することがない。
【００１９】
このため、携行時に肩当て５５が身体に大きく触れて違和感を感じることがなく、また、肩当て５５は、重合部６３によってＵ字状ハンドル３７を挟持するため、ショルダーベルト５３が揺れ動くことが防止される。
そして、釣り用バッグ４１を濡れた釣場や船のデッキ等に置く際に、図２の如くＵ字状ハンドル３７を肩当て５５のスリット５７に挿通させていた場合には、そのまま釣り用バッグ４１を釣場等に置けばよく、また、肩に掛けて運んできた釣り用バッグ４１を釣場や船のデッキ等に置く際には、図２に示すようにＵ字状ハンドル３７，３９の一方を肩当て５５のスリット５７に挿通させて、肩当て５５をＵ字状ハンドル３７，３９の付け根まで移動させておけばよい。
【００２０】
而して、斯様にＵ字状ハンドル３７，３９の一方を肩当て５５のスリット５７に挿通させて、肩当て５５をＵ字状ハンドル３７，３９の付け根まで移動させておけば、ショルダーベルト５３と肩当て５５が地面やデッキから所定高さ上方に位置し、また、肩当て５５と両端部５３ａとの領域は図２に示すようにＵ字状に弛緩した状態にあるが、その最下部も地面やデッキから離間した状態になる。
【００２１】
このように、本実施形態によれば、Ｕ字状ハンドル３７，３９の一方を肩当て５５のスリット５７に挿通させることで、釣り用バッグ４１を濡れた釣場や船のデッキ等に置いてショルダーベルト５３を下方に垂らしても、ショルダーベルト５３や肩当て５５が地面やデッキに触れることがないため、ショルダーベルト５３や肩当て５５が汚れたり濡れたりすることがなくなった。
【００２２】
更に、既述したようにＵ字状ハンドル３７を肩当て５５のスリット５７に挿通させて、肩当て５５をＵ字状ハンドル３７の付け根まで移動させると、肩当て５５がバッグ本体２３の正面側側面３１に沿って収まり外方へ大きく突出することがないため、携行時に肩当て５５が身体に大きく触れて違和感を感じることがなく、また、スリット５７の全長に亘って重合部６３を設けた構造上、肩当て５５を肩に当てた際にスリット５７が開き難く、化粧布６１の端部６１ａ，６１ｂ同士が重なり合う重合部６３によって肩当て５５の広い面積が確保できるため、肩当て５５が肩に食い込むことがなく、図８の従来例に比し肩当て５５の機能を良好に維持することができる利点を有する。
【００２３】
更にまた、Ｕ字状ハンドル３７を肩当て５５のスリット５７に挿通させることで、ショルダーベルト５３の肩当て５５が保持され、更に肩当て５５はスリット５７に沿って重合部６３を設けたため、Ｕ字状ハンドル３７に対し移動が防止されて保持され、この結果、ショルダーベルト５３や肩当て５５が揺れ動くことがなくなり、釣り用バッグ４１が持ち運び易くなる。
【００２４】
尚、本実施形態は、ショルダーベルト５３の両端部５３ａをバッグ本体２３の左右側面４９，５１に縫着固定した釣り用バッグ４１に適用したが、ナス環を用いてショルダーベルトの両端部をバッグ本体に着脱自在とした釣り用バッグに本発明を適用できることは勿論である。
図５及び図６は請求項２の一実施形態に係る釣り用バッグに用いた肩当てを示し、図中、６７，６９は、所定の肉厚と幅寸法を以って平面視円弧状に加工したウレタン等の合成樹脂の発泡材からなる芯材で、両芯材６７，６９の表面を塩化ビニルやエチレン酢酸ビニル等の化粧布７１で被覆して同一形状の２枚の肩当て部材７３，７５が形成されている。
【００２５】
そして、図５に示すように本実施形態は、２枚の肩当て部材７３，７５を重ね合わせて、重合するそれらの両端部に接続部材６５を縫着して長さＬ，幅Ｈを有する肩当て７７を形成したもので、重なり合う両肩当て部材７３，７５間の間隙７９に、Ｕ字状ハンドル３７，３９の一方または両方が挿通可能となっている。
尚、その他の構成は図１の実施形態と同様であるので、同一のものには同一符号を付してそれらの説明は省略する。
【００２６】
本実施形態はこのように構成されているから、釣り用バッグを肩に掛けて持ち運ぶ際には、従来と同様の方法でショルダーベルト５３を使用すればよく、肩当て７７を肩に当てた際に釣り用バッグの重みで肩当て部材７３，７５がずれても、これらによって肩当て７７の広い面積が確保できるため、肩当て７７が肩に食い込むことがない。
一方、釣り用バッグを手で持ち運ぶ際には、図１の実施形態と同様、ベルト４７で両Ｕ字状ハンドル３７，３９の中央部分を一つに束ね、或いはＵ字状ハンドル３７，３９の一方を肩当て部材７３，７５間の間隙７９に挿通させて、ベルト４７で両Ｕ字状ハンドル３７，３９の中央部分を一つに束ねればよい。
【００２７】
而して、Ｕ字状ハンドル３７を肩当て部材７３，７５間の間隙７９に挿通させて、肩当て７７をＵ字状ハンドル３７の付け根まで移動させると、肩当て部材７３，７５を重合して形成されるスリット状の間隙７９は肩当て７７の幅方向の両端側に開口し、この開口に従ってＵ字状ハンドル３７を更に差し込むと、肩当て部材７３，７５によって表面側と裏面側で挟まれてその幅方向Ｈに沿って差し込まれ、Ｕ字状ハンドル３７で付勢された一方の肩当て部材７３によって肩当て７７はバッグ本体２３の正面側側面３１に沿って収まり、外方へ大きく突出することがない。
【００２８】
このため、携行時に肩当て７７が身体に大きく触れて違和感を感じることがなく、また、肩当て７７は、重合した肩当て部材７３，７５によってＵ字状ハンドル３７を挟持するため、ショルダーベルト５３が揺れ動くことが防止される。
そして、釣り用バッグを濡れた釣場や船のデッキ等に置く際に、既述したようにＵ字状ハンドル３７を間隙７９に挿通させていた場合には、そのまま釣り用バッグを釣場等に置けばよく、また、肩に掛けて運んできた釣り用バッグを釣場や船のデッキ等に置く際には、Ｕ字状ハンドル３７，３９の一方を間隙７９に挿通させて、肩当て７７をＵ字状ハンドル３７，３９の付け根まで移動させておけばよい。
【００２９】
而して、斯様にＵ字状ハンドル３７，３９の一方を肩当て７７の間隙７９に挿通させて肩当て７７をＵ字状ハンドル３７，３９の付け根まで移動させておけば、ショルダーベルト５３と肩当て７７が地面やデッキから所定高さ上方に位置し、また、肩当て７７と両端部５３ａとの領域は図２と同様、Ｕ字状に弛緩した状態にあるが、その最下部も地面やデッキから離間した状態にある。
【００３０】
このように、本実施形態によれば、Ｕ字状ハンドル３７，３９の一方を肩当て７７の間隙７９に挿通させることで、釣り用バッグを濡れた釣場や船のデッキ等に置いてショルダーベルト５３を下方に垂らしても、ショルダーベルト５３や肩当て７７が地面やデッキに触れることがないため、ショルダーベルト５３や肩当て７７が汚れたり濡れたりすることがない。
【００３１】
更に、既述したようにＵ字状ハンドル３７を肩当て７７の間隙７９に挿通させて、肩当て７７をＵ字状ハンドル３７の付け根まで移動させると、肩当て７７がバッグ本体２３の正面側側面３１に沿って収まり外方へ大きく突出することがないため、携行時に肩当て７７が身体に大きく触れて違和感を感じることがなく、また、肩当て７７を肩に当てた際に釣り用バッグ４１の重みで肩当て部材７３，７５がずれても、重なり合う両肩当て部材７３，７５によって肩当て７７の広い面積が確保できるため、本実施形態によっても肩当て７７が肩に食い込むことがなく、図８の従来例に比し肩当て７７の機能を良好に維持できる利点を有する。
【００３２】
更にまた、Ｕ字状ハンドル３７を肩当て部材７３，７５の間に挿通させることで、ショルダーベルト５３の肩当て７７が保持され、更に肩当て７７は一対の肩当て部材７３，７５を重ね合わせて形成したため、Ｕ字状ハンドル３７に対し移動が防止されて保持される。
この結果、ショルダーベルト５３や肩当て７７が揺れ動くことがなくなり、釣り用バッグが持ち運び易くなる。
【図面の簡単な説明】
【００３３】
【図１】請求項１の一実施形態に係る釣り用バッグの全体斜視図である。
【図２】請求項１の一実施形態に係る釣り用バッグの全体斜視図である。
【図３】図１の釣り用バッグに用いた肩当ての拡大平面図である。
【図４】図３のIV−IV線断面図である。
【図５】請求項２の一実施形態に係る釣り用バッグに用いた肩当ての拡大平面図である。
【図６】図５のVI−VI線断面図である。
【図７】従来の釣り用バッグの全体斜視図である。
【図８】従来のキャディバッグの全体斜視図である。
【符号の説明】
【００３４】
２３  バッグ本体
２７  蓋体
２９  スカート部
３１  正面側側面
３３  蓋止めフロントベルト
３５  背面側側面
３７，３９  Ｕ字状ハンドル
４１  釣り用バッグ
４３，４５  面ファスナー
４７  ベルト
５３  ショルダーベルト
５５，７７  肩当て
５７  スリット
５９，６７，６９  芯材
６１，７１  化粧布
６１ａ，６１ｂ  端部
６３  重合部
６５  接続部材
７３，７５  肩当て部材
７９  間隙                                                                                
【図１】
0004532389.tif 000002
【図２】
0004532389.tif 000003
【図３】
0004532389.tif 000004
【図４】
0004532389.tif 000005
【図５】
0004532389.tif 000006
【図６】
0004532389.tif 000007
【図７】
0004532389.tif 000008
【図８】
0004532389.tif 000009